(57)【要約】【課題】  突条に直交する方向に屋根上設置物を傾斜させる際、取り付け金具を用いて、汎用性の高い取り付け構造を提供することを目的とする。              【構成】  取り付け金具は、挟持体ａと、挟持体ａと同じ回動軸ｊで連結された載置体ｂを有しており、その載置体ｂは、挟持体ａとの接続手段と載置部を有している。該載置部の高さが異なる取り付け金具が、突条Ｒ１に直交する方向に交互に取り付けられ、屋根上設置物における突条Ｒ１に直交する端縁の任意の位置が載置部に載置されている。そして、載置部の高さが同じ取り付け金具が、突条Ｒ１に平行な方向の同列に所定間隔で取り付けられたときに、高さが同じ載置部を有する取り付け金具同士は、突条Ｒ１に平行な方向に隣り合う屋根上設置物端縁を載置することができる取り付け構造である。【選択図】  図１
2014163086.tif 000002
【特許請求の範囲】
【請求項１】
突条を有する屋根に、
取り付け金具を用いた屋根上設置物の取り付け構造であって、
前記取り付け金具は、
突条に挟持される挟持体と、
該挟持体と同じ回動軸によって連結された載置体を有しており、
該載置体は、
前記挟持体との接続手段と、
載置部を有しており、                         
該載置部の高さが異なる取り付け金具が、
突条に直交する方向に交互に取り付けられ、
屋根上設置物における突条に直交する端縁の任意の位置が前記載置部に載置されており、
載置部の高さが同じ取り付け金具が、
突条に平行な方向の同列に所定間隔で取り付けられたときに、
高さが同じ載置部を有する取り付け金具同士は、
突条に平行な方向に隣り合う屋根上設置物端縁を載置可能である
屋根上設置物の取り付け構造。
【発明の詳細な説明】
【技術分野】
【０００１】
本願は、突条を有する屋根に、取り付け金具を用いて、太陽光発電パネル等の屋根上設置物を取り付ける構造に関するものである。特に、突条に直交する方向に傾斜させて取り付ける場合の構造に関する。
【背景技術】
【０００２】
折板屋根等による大型物件に、太陽光発電パネルを取り付ける物件が増加している。そこで、各種取り付け金具が開発されている。また、効率よく発電させるために、太陽光発電パネルを傾斜させて取り付ける場合がある。そのような技術として、次のようなものがある。
【０００３】
まず、図５により説明する。図５の取り付け金具Ｙは、本出願人が提案し、特許第４７４６６５０号公報に記載されたものである。その取り付け金具Ｙは、載置体ｂと挟持体ａとが同じ回動軸ｊで連結されていて、その回動軸ｊによって、載置体ｂが桁行方向に傾動可能である。このため、簡単な仕組みでありながら、屋根上設置物を載せることで平坦な状態を保持できるという効果がある。
【０００４】
図６も、本出願人が提案したものである。図６に示した取り付け金具Ｆは、挟持体ａと載置体ｂに加え、係止体Ｄが組み合わせられたものである。
【０００５】
図７と図８は、特開２０１２−１４４９０３号公報に記載された技術である。図７は、その図１であり、図８は、その図３である。また、図９と図１０は、特開２０１２−１６７４５６号公報に記載された技術である。図９は、その図６で、第１実施形態を示す説明図であり、図１０は、その図３である。図９は、図１０（Ｂ）の連続中間受台具４を使用しない例である。それぞれの公報では、流れ方向と桁行方向の両方の傾斜に対応できるとされている。
【０００６】
図７及び図８と図９及び図１０は、太陽光発電ユニットＡを傾斜させて固定した状態と、固定に用いる部品とを示したものである。それぞれ、ベース具１上に載置固定された低受台座（挟持用低受台具）２と高受台座３（挟持用高受台具）を用い、太陽光発電ユニットＡを傾斜させている。       
【先行技術文献】
【特許文献】
【０００７】
【特許文献１】特許第４７４６６５０号公報
【特許文献２】特開２０１２−１４４９０３号公報
【特許文献３】特開２０１２−１６７４５６号公報
【発明の概要】
【発明が解決しようとする課題】
【０００８】
図５は、簡単な仕組みで、屋根上設置物を桁行方向に平坦状態に保持できる取り付け金具である。しかし、桁行方向について水平保持を目的としており、金具を傾斜させて屋根上設置物を取り付けるという発想ではなかった。また、同じ高さの図６の金具を組み合わせただけでは、屋根上設置物を傾斜させて取り付けることができない。
【０００９】
図７の場合には、太陽光発電ユニットＡの枠体下面に取り付けられた取付材６を、各受台座３Ｂ・３Ａに挿入して、太陽光発電ユニットＡを固定している。請求項１には取付材６は記載されておらず、取付材６を用いることは実施例にすぎない。当業者であれば、部品点数を減らすために、取付材６を用いずに、太陽光発電ユニットＡを固定することも想到できる。その場合には、図８に示した高受台座３Ｂと、低受台座３Ａとで、太陽光発電ユニットＡを傾斜させて固定することが考えられる。
【００１０】
しかし、図８の場合には、ベース具１の開口部から工具を挿入し、締め付け具を締め付けて各台座３Ｂ・３Ａを取り付けることになる。このため、後から各台座３Ｂ・３Ａを取り付けることは、容易ではなかった。それは、口字状の各台座３Ｂ・３Ａに対し、横方向から手動工具を挿入して取り付けるからである。また、頂部３３Ｂ・３３Ａは、（Ｂ）（Ｃ）の通り、取付材６に対応させるため、比較的幅が狭い。この幅を広くし、流れ方向に連続させて太陽光発電ユニットＡを設置しようとすると、幅広の別部材が必要であったり、形状を変える必要があったりする。
【００１１】
そのような部品を想到したとしても、図７の（Ｃ）における破線（３Ｂと３Ａの上部）の通り、太陽光発電ユニットＡに沿った形状ではない。このため、太陽光発電ユニットＡと各台座３Ｂ・３Ａとが安定して設置されず、傾斜に対応するには、角度が異なる複数の各台座３Ｂ・３Ａが必要であった。
【００１２】
図９は、流れ方向に傾斜して設置される場合を示している。しかし、図１０の各部品を用いて、桁行方向に傾斜して設置した場合を想定する。すると、図９（Ｂ）と図１０（Ａ）の通り、挟持用低受台具２は、太陽光発電ユニットＡの低い方の周縁を載置する。一方、挟持用高受台具３は、太陽光発電ユニットＡの高い方の周縁を載置する。このため、桁行方向の長さが異なる屋根上設置物や、取り付けピッチが異なる突条に対して、桁行方向端部に使用する受台具２・３だけでは対応できない場合があった。
【００１３】
本願は、これまで述べた課題を解決するために、簡単な仕組みで、屋根上設置物を桁行方向に安定して傾斜させて取り付ける構造を提供することを目的とする。また、異なる突条ピッチ・屋根上設置物の大きさ・ある程度の傾斜角度に対応できる取り付け構造を提供することを目的とする。さらに、桁行方向に傾斜させた屋根上設置物を、流れ方向にも連続して設置することができる取り付け構造を提供することを目的とする。              
【課題を解決するための手段】
【００１４】
本願は、突条を有する屋根に対して、取り付け金具を用いて屋根上設置物を取り付ける構造である。その取り付け金具は、突条に対して、回動軸の開閉により挟持される挟持体と、該挟持体と同じ回動軸によって連結された載置体を有している。その載置体は、前記挟持体の接続手段と、屋根上設置物を載置する載置部を有している。  
【００１５】
そして、載置部の高さが異なる取り付け金具が、突条に直交する方向に、突条に交互に取り付けられ、屋根上設置物が突条に直交する方向に傾斜して載置される。屋根上設置物は、突条に直交する端縁の任意の位置が、載置部に載置される。言い換えれば、載置部は、突条に直交して載置される屋根上設置物において、突条に直交する端縁の任意の位置を受支する。さらに、載置部の高さが同じである取り付け金具が、突条に平行な方向の同列の突条に所定間隔で取り付けられる。このとき、高さが同じ載置部を有する取り付け金具同士により、突条に平行な方向に隣り合う屋根上設置物端縁を載置可能であることを特徴とする構造である。
【発明の効果】
【００１６】
本願の取り付け構造は、出願人が提案済みの取り付け金具に工夫を重ね、次のような効果を発揮するものである。まず、載置体によって、屋根上設置物は、同一方向に傾斜させることができる。そこで、この仕組みによる、高さの異なる取り付け金具によって傾斜角度が変更でき、屋根上設置物を突条と直交方向に傾斜させて、安定して載置できる。
【００１７】
また、屋根上設置物に対して、突条に直交する方向の端縁の任意の位置を載置することができる。このため、載置部への載置は、突条の取り付けピッチや屋根上設置物の大きさに左右されない。   
【００１８】
さらに、載置部は、突条に平行な方向に隣り合う屋根上設置物を載置することができる形状に形成されている。従って、突条に直交する方向に傾斜させた屋根上設置物を、突条に平行な方向に連続させて載置することができる。
【図面の簡単な説明】
【００１９】
【図１】本願の取り付け構造の実施例を示す説明図である。
【図２】本願の取り付け構造の実施例を示す説明図で、流れ方向の模式図である。
【図３】本願の取り付け構造に用いる取り付け金具Ａの実施例を示す説明図であり、円内は、正面から見た場合の一部を示す説明図である。
【図４】本願の取り付け構造に用いる取り付け金具Ａの他の実施例を示す説明図であり、円内は、正面から見た場合の一部を示す説明図である。
【図５】従来技術を示す説明図である。
【図６】従来技術を示す説明図である。
【図７】従来技術を示す説明図である。
【図８】従来技術を示す説明図である。
【図９】従来技術を示す説明図である。
【図１０】従来技術を示す説明図である。
【実施例】
【００２０】
本願の屋根上設置物の取り付け構造の実施例について、図面に基づいて説明する。図１は、図３の取り付け金具Ａと図６に示した取り付け金具Ｆを用いて、太陽光発電パネルＴを載置した状態を示す説明図である。図２は、図１の取り付け状態が、流れ方向に連続している状態を示す説明図である。図３は、取り付け金具Ａの実施例の説明図である。図４は、取り付け金具Ａの他の実施例の説明図である。尚、図３と図４では、取り付け金具Ａと組み合わせて用いられる押圧金具Ｏの実施例も示している。
【００２１】
まず、図３により、本願の取り付け構造に用いられる取り付け金具Ａの実施例について説明する。この取り付け金具Ａは、挟持体ａと載置体ｂを有している。挟持体ａは、回動軸ｊによって開閉され、屋根の突条を挟持して、締め付け手段Ｓで締め付けて取り付けられる。載置体ｂは、挟持体ａと同じ回動軸ｊによって連結されている。また、本実施例の載置体ｂは、全体形状が側方に開口する形状をしている支持体ｂａと、挟持体ａとの連結面ｂ５を有する接続体ｂｂとから成っている。本実施例の支持体ｂａは、接続体ｂｂの上面に組み合わせられる上面部ｂ１を有している。上面部ｂ１は、接続体ｂｂの上に載置して固定することで、接続体ｂｂとの接続面ｂ２となっている。
【００２２】
そして、本実施例の場合には、上面部ｂ１において、回動軸ｊに平行となる側縁の一側が折り下げられており、他側が立ち上げられている。折り下げられた端縁は、接続体ｂｂへの位置決めにもなるし、補強面にもなる。他側は、立ち上げられて支持面ｂ３となっている。本実施例では、支持面ｂ３は、両側縁が内側方向に折り曲げられて、補強面となっている。補強面は、支持体ｂａ自体の強度を増すとともに、載置部ｂ４を支持して座屈しにくくする役目を果たす。
【００２３】
その載置部ｂ４は、支持面ｂ３の上端縁から上面部ｂ１と同じ方向に略直角に折り曲げて形成され、屋根上設置物を載置するための箇所となっている。本実施例の場合には、載置部ｂ４は上面に開口する逆ハット形をしている。そして、底面から上向きにボルトが突出して固定され、ナットと組み合わせて、屋根上設置物の固定手段Ｋとなっている。載置部ｂ４は、固定手段Ｋに対して、水下側にも水上側にも屋根上設置物を載置できる。つまり、締め付け手段Ｓと平行となる両側に、載置できる。
【００２４】
再び、図６により、図３よりも低い取り付け金具Ｆについて説明する。この取り付け金具Ｆを、取り付け金具Ａと組み合わせて用いる。取り付け金具Ｆも、挟持体ａと、挟持体ａと同じ回動軸で回動する載置体ｂを有している。載置体ｂの中央部分には、上向きボルトである固定手段Ｋが組み合わせられた係止体Ｄが取り付けられている。そして、締め付け手段Ｓによって、挟持体ａを開閉させて屋根の突条に取り付ける。また、固定手段Ｋを挟んで、締め付け手段Ｓと平行となる両側は、上面部ｂ１・ｂ１となっている。この上面部ｂ１・ｂ１は、屋根上設置物を載置するための載置部ｂ４・ｂ４でもある。
【００２５】
図６の取り付け金具Ｆの係止体Ｄには、固定手段Ｋが組み合わせられている。このため、固定手段Ｋの位置決めや抜け止め機能を発揮する。また、係止体Ｄが導通体であれば、隣り合う太陽光発電パネルを導通させることもできる。さらに、太陽光発電パネルの枠体の下側に当接するので、枠体の形状を限定しない。このような取り付け金具Ｆと前述の取り付け金具Ａを組み合わせて、太陽光発電パネルを桁行方向に傾斜させ、流れ方向にも連続して設置することで、さらに効果の高い取り付け構造となる。
【００２６】
続いて、図１により、これまで述べた部材を用いて、屋根上設置物を取り付けた状態を説明する。まず、屋根Ｒの突条Ｒ１に取り付け金具Ｆを取り付ける。本実施例では、突条Ｒ１が折板の馳部である例を示している。挟持体ａを開閉させ、締め付け手段Ｓであるボルトやナットによって、挟持体ａを突条Ｒ１に締め付ける。次に、桁行方向に、所定間隔で取り付け金具Ａを取り付ける。この取り付け金具Ａも、挟持体ａを開閉させ、締め付け手段Ｓであるボルトやナットによって、挟持体ａを突条Ｒ１に締め付ける。
【００２７】
このようにして、取り付け金具Ｆと取り付け金具Ａが、桁行方向に所定間隔で交互に取り付けられている。また、図２で示した通り、流れ方向には、同列の突条に所定間隔で、取り付け金具Ｆ同士と取り付け金具Ａ同士を取り付けている。最も水下側の太陽光発電パネルＴは、このようにして取り付けられた取り付け金具Ｆの上面部ｂ１（載置部ｂ４）の水上側と、取り付け金具Ａの載置部ｂ４の水上側に、その水下側が載置されている。
【００２８】
また、その太陽光発電パネルＴは、その水上側が、取り付け金具Ｆの上面部ｂ１（載置部ｂ４）の水下側に載置され、取り付け金具Ａの載置部ｂ４の水下側に載置されている。そして、その太陽光発電パネルＴは、図１の通り、押圧金具Ｏによって、取り付け金具Ｆ・Ａの載置部ｂ４・ｂ４に押圧されて、取り付けられる。この一連の作業を、水上側に向かって複数段繰り返し、流れ方向に太陽光発電パネルＴを連続して設置することができる。このとき、図３の押圧金具Ｏに導通機能があれば、取り付け金具Ａも導通させることができる。
【００２９】
ところで、図４は、本願の取り付け金具Ａの載置体ｂの他の実施例を示している。図４の載置体ｂにおいて、図３と相違する点は、次の通りである。図４の取り付け金具Ａの支持体ｂａは、支持面ｂ３の上端縁が、上面部ｂ１と同じ方向に略直角に折り曲げられて、屋根上設置物を載置するための載置部ｂ４となっている。本実施例の場合には、載置部ｂ４の端縁は、さらに折り下げられている。また、載置部ｂ４には、上向きにボルトが突出して固定され、固定手段Ｋとなっている。本実施例の載置部ｂ４も、上面部ｂ１とほぼ同じ幅を有していて、固定手段Ｋに対して、水下側にも水上側にも屋根上設置物を載置できる。
【００３０】
本実施例では、載置部ｂ４からの折り下げ箇所から切り起こされた突起を形成している。この突起を利用して、導通させることができる実施例である。また、この突起は、太陽光発電パネルＴの水上側枠体と、次の段の太陽光発電パネルＴの水下側枠体に当接する間隔である。このため、下側から枠体に当接していることで、枠体の形状を限定しない。しかも、太陽光発電パネルＴ・Ｔを載置部ｂ４に載置したときに、太陽光発電パネルＴ・Ｔが傾斜方向に滑るのを防ぐ役目も果たす。このような取り付け金具Ａを用いることで、さらに機能性の高い取り付け構造となる。
【００３１】
図３と図４の取り付け金具Ａ及び図６の取り付け金具Ｆにおいて、それぞれの載置体ｂは、載置部ｂ４・ｂ４から立ち上げられた面を有していない。このため、図９及び図１０の部材とは異なり、桁行方向に屋根上設置物を傾斜させて載置する場合、受支箇所は、屋根上設置物の桁行方向の大きさや、突条の取り付けピッチに左右されない。
【００３２】
このように、取り付け金具Ａを、それよりも低い載置部ｂ４を有する取り付け金具Ｆに組み合わせることで、屋根上設置物の桁行方向の大きさや、屋根の取り付けピッチに左右されることなく、屋根上設置物を載置することができる。取り付け金具Ａは、取り付け金具Ｆよりも載置部ｂ４の位置が高い。従って、これらの組み合わせによって、図１の通り、桁行方向に屋根上設置物を容易に傾斜させることができる。また、載置体ｂの傾斜角度に対応させて、屋根上設置物を載置できる。さらに、前述の通り、水下側にも水上側にも屋根上設置物を載置することができるので、桁行方向に傾斜させた屋根上設置物を、流れ方向に連続させて載置することもできる。
【００３３】
さらに載置体ｂについて詳述すると、図３と図４の場合には、上向きに突出している固定手段Ｋによって、接続体ｂａの上に、接続面ｂ２を有する支持体ｂｂが組み合わせられている。そして、支持体ｂｂの載置部ｂ４の固定手段Ｋが、上面部ｂ１から突出している固定手段Ｋのほぼ真上に位置している。このため、負圧にも強い取り付け金具Ａとなっている。そのうえ、載置体ｂは、支持体ｂａと接続体ｂｂとが別体となっているので、支持体ｂａだけを外し、開口部を逆向きにして取り付け直すことができる。この作業は、取り付け金具Ａの組立過程でも、現場で挟持体ａを突条に取り付けたままでもできる。
【００３４】
図示していないが、載置体ｂについて、一体化させた例を説明する。たとえば、図３と図４の上面部ｂ１の対向する二辺を折り下げて連結面ｂ５とし、支持体ｂａと接続体ｂｂとを一体化させた例である。その場合には、そして、接続体ｂｂの上面部が、支持体ｂａの上面部ｂ１を兼ねる形状となる。また、支持面ｂ３を締め付け手段Ｓに対して平行にし、その下位を連結面ｂ５とする実施例でもよい。一体化の形状は、載置部ｂ４と支持面ｂ３を有していて、何らかの手段で回動軸を同じくする挟持体ａと連結されていればよい。
【００３５】
これまで述べた各部の形状は実施例であり、たとえば、載置体ｂの形状を略Ｚ字状にしたり、全体形状を逆ハット形にしたりしてもよい。また、載置部ｂ４の形状や、載置部ｂ４への屋根上設置物の取り付け方法も限定しない。さらに、取り付け金具Ａに組み合わせられ、載置部ｂ４の位置がより低い取り付け金具も、限定しない。そのうえ、本願の取り付け金具Ａが取り付けられる突条は、瓦棒・折板の山部・縦葺き屋根のキャップ・立平葺きの馳部等でもよい。
【産業上の利用可能性】
【００３６】
これまで述べた突条は、折板や瓦棒等の縦葺き屋根材に形成されたものを指す。通常、そのような屋根材で葺かれた屋根には、桁行方向と流れ方向がある。桁行方向は、突条に対して直交する方向であり、流れ方向は、突条に対して平行な方向である。しかし、本願の取り付け構造は、たとえば、陸屋根に取り付けられた支持材を突条とする場合にも適用できる。陸屋根には、桁行方向や流れ方向がない場合がある。また、突条が陸屋根上に斜めに形成される可能性もある。これまで述べた桁行方向を、突条に直交方向とし、流れ方向を、突条に平行方向と言い換えて、本願の構造を利用することができる。
【符号の説明】
【００３７】
Ａ      取り付け金具
ａ      挟持体
ｂ      載置体
ｂａ    支持体
ｂｂ    接続体
ｂ１    上面部
ｂ２    接続面
ｂ３    支持面
ｂ４    載置部
ｂ５    連結面
Ｄ      係止体
Ｆ      取り付け金具
ｊ      回動軸
Ｋ      固定手段
Ｏ      押圧金具
Ｒ      屋根
Ｒ１    突条
Ｓ      締め付け手段
Ｔ      太陽光発電パネル
Ｙ      取り付け金具
【図１】
2014163086.tif 000003
【図２】
2014163086.tif 000004
【図３】
2014163086.tif 000005
【図４】
2014163086.tif 000006
【図５】
2014163086.tif 000007
【図６】
2014163086.tif 000008
【図７】
2014163086.tif 000009
【図８】
2014163086.tif 000010
【図９】
2014163086.tif 000011
【図１０】
2014163086.tif 000012